(57)【要約】【課題】  コネクターの中から外に向かって引っかからず退出させることが可能な両側連動カード戻しの電子カードコネクターを提供する。【解決手段】  本体１０は差し穴１１が設けられ、第一スライド部品２０、第二スライド部品３０を有する。第一、第二スライド部品はそれぞれ差し穴１１の第一側１１ａ第二側１１ｂに滑り置かれ、差し込んだ電子カード５０に突き寄る。スライド部品と本体１０の間には、それぞれバネ２０ａ、バネ２０ｂを鉤扣して、常時各スライド部品を連動して端子台１２を遠離する。これで二つのバネ２０ａ、バネ３０ａによって同時に連動して第一スライド部品２０、第二スライド部品３０を戻し移動して電子カードコネクターの中に差し込んだ電子カード５０を突き出す。弾性によってカード戻し操作の時に、同時に電子カード５０の両側を突き推して、電子カード５０が受ける力を平均的にすることが可能である。【選択図】    図１
0003110999.tif 000002
【実用新案登録請求の範囲】
【請求項１】
一つの本体と、一つの第一スライド部品及び第二スライド部品を含む両側連動カード戻しの電子カードコネクターであって、
前記本体は、一つの差し穴を有し、並びに差し穴の前端に一つの端子台が設置され、
前記第一スライド部品は、前記差し穴の第一側に滑り置かれ、一つの差し穴の中に差し込んだ電子カードの第一側に突き寄せ、並びに前記第一スライド部品と本体との間に一つのバネを鉤扣して、常時第一スライド部品を連動して端子台を遠離し、
前記第二スライド部品は、前記差し穴の第二側に滑り置かれ、即ち前記第一スライド部品の相対側にあって、一つの差し穴の中に差し込んだ電子カードの第二側に突き寄せ、並びに前記第二スライド部品と本体との間に一つのバネを鉤扣して、常時第二スライド部品を連動して端子台を遠離し、
上述のように二つのバネによる同時の連動の戻し移動によって、前記第一スライド部品、前記第二スライド部品は電子カードコネクターの中に差し込んでいる電子カードを突き出すことを特徴とする両側連動カード戻しの電子カードコネクター。
【請求項２】
前記本体の差し穴は、相対の両側に個別に一つのガイドレール部を形成し、個別に対応する第一スライド部品、第二スライド部品を中に置いて滑り移し、且つ前記本体の両側に、個別に一つの突き鉤を突設して、第一スライド部品、第二スライド部品を連動するバネの第一バネ端を鉤扣することを特徴とする請求項１記載の両側連動カード戻しの電子カードコネクター。
【請求項３】
前記端子台は、一つの絶縁台体を含み、並列に多数個の端子穴が設けられ、個別に一つの端子を中に嵌接し、並びに前記絶縁台体の両側に個別に定位突き部を突設し、対応的に前記差し穴の側壁の扣孔の中に掛扣することを特徴とする請求項１記載の両側連動カード戻しの電子カードコネクター。
【請求項４】
前記端子台は、連接部品を嵌接して、前記端子台を差し穴の中に扣接した時は、前記連接部品は固く前記本体を鉤接することを特徴とする請求項１記載の両側連動カード戻しの電子カードコネクター。
【請求項５】
前記第一スライド部品、第二スライド部品の前端には、個別に横向きに載台部が設けられ、載台部の前縁には一つの突き壁が突設し、これによって差し穴の中に差し込んだ電子カードの前端の端縁に突き寄せることを特徴とする請求項１記載の両側連動カード戻しの電子カードコネクター。
【請求項６】
前記第一スライド部品、第二スライド部品は、個別に一つの定位凹穴が凹設され、前記第一スライド部品、第二スライド部品に対応したガイドレール部の中で、後に向かって一定の位置に戻し移動した時に、前記定位凹穴の穴壁はガイドレール部の中に突設した一つの定位突き部に突き寄って、前記第一スライド部品、第二スライド部品は継続してバネを後に向かって引き戻すのを妨げることを特徴とする請求項２記載の両側連動カード戻しの電子カードコネクター。
【請求項７】
前記第一スライド部品、第二スライド部品の側壁には、個別に鉤棒が突設され、前記バネの第二バネ端を鉤扣することを特徴とする請求項１記載の両側連動カード戻しの電子カードコネクター。
【請求項８】
前記コネクターは、定位装置を備え、前記定位装置は、一つのガイド槽部と一つの定位塊及び一つのバネアームを含み、前記ガイド槽部は、第一スライド部品に凹設し、前記ガイド槽部は、第一ガイド槽及び第二ガイド槽部を含み、前記第一ガイド槽部、第二ガイド槽部の後端は一つのＶ字型ガイド槽で互いに連通し、並びに前記第二ガイド槽の前端を傾斜向きに前記第一ガイド槽と連接し、
前記定位塊の第一端は一つの軸部を有し、本体の差し穴の側壁に枢装し、第二端は一本のガイドピンを突設し、常時前記ガイド槽部の中に滑り置かれ、
前記バネアームは、前記差し穴の側壁に形成して前記バネアームを常時ガイド槽部の方向に向けて前記定位塊の第二端に突き推し、定位塊の第二端に設けられているガイドピンを安定してガイド槽部の中に伸入して置いて、相対的に滑り移動することを特徴とした請求項１記載の両側連動カード戻しの電子カードコネクター。
【請求項９】
前記ガイド槽部は、前記第一ガイド槽の後端と前記Ｖ字型ガイド槽間に一つの第一突き肩を形成し、前記Ｖ字型ガイド槽部の中段に第二突き肩を形成し、更に前記Ｖ字型ガイド槽と前記第二ガイド槽の前端の入口間に一つの第三突き肩を形成し、前記定位塊のガイドピンが第二ガイド槽からＶ字型ガイド槽を沿って第一ガイド槽に戻るのを妨げることを特徴とする請求項８記載の両側連動カード戻しの電子カードコネクター。
【請求項１０】
前記コネクターは定位装置を備え、前記定位装置は一つのガイド槽部と、一つの定位塊及び一本のガイドピンと一つのバネアームを含み、前記ガイド槽部は、第二スライド部品に凹設し、前記ガイド槽部は第一ガイド槽および第二ガイド槽を含み、前記第一ガイド槽、第二ガイド槽の後端は一つのＶ字型ガイド槽で互いに連通し、更に前記第二ガイド槽の前端は傾斜向きで前記第一ガイド槽と連接し、
前記定位塊は、第一端に一つの軸部を有し、本体の差し穴の側壁に枢装し、第二端は一本のガイドピンを突設し、常時前記ガイド槽部の中に滑り置かれ、
前記バネアームは、前記差し穴の側壁に形成して、前記バネアームを常時ガイド槽部の方向に向けて前記定位塊の第二端を突き推して、定位塊に設けられている第二端のガイドピンを安定してガイド槽部の中に伸び置いて、相対の滑り移動を行うことを特徴とする請求項１記載の両側連動カード戻しの電子カードコネクター。
【請求項１１】
前記ガイド槽部は、前記第一ガイド槽の後端と前記Ｖ字型ガイド槽との間に一つの第一突き肩を形成し、前記Ｖ字型ガイド槽の中段に第二突き肩を形成し、更に前記Ｖ字型ガイド槽と前記第二ガイド槽の前端の入口の間に、一つの第三突き肩を形成し、前記定位塊のガイドが第二ガイド槽からＶ字型ガイド槽を沿って第一ガイド槽に戻るのを妨げることを特徴とする請求項１０記載の両側連動カード戻しの電子カードコネクター。
【考案の詳細な説明】
【技術分野】
【０００１】
本考案は、両側連動カード戻しの電子カードコネクターに関する。
【背景技術】
【０００２】
現在一般に電子カードの連接に応用されている電子カードコネクターは、カード戻し機構が含まれている。これを押した後には、電子カードコネクターの中に差し込んだ電子カードは退出する。電子カードコネクターは図１７に示すように、下記のものを含む。一つの台体７１、台体７１の中には一つの端子連接区７１１が設けられ、台体７１の両側に平行的に一ペアの側アーム７１２、側アーム７１２’を突設している。これでペアの側アーム７１２、側アーム７１２’の間に一つの電子カード滑り槽を形成して、一枚の電子カード７０を差し込むのに使用されている。一枚の突き出し板７２、突き出し板７２の第一端に近い部分を台体７１に枢装している。一本の突き出し棒７３は、一本の側アーム７１２の中に滑り置かれ、一つのバネ７３０は常時連動的に後に向かって退出する構造である。
【０００３】
使用者が電子カード７０を差し込んだ時、電子カードの前縁は、突き出し板７２の第一端７２１の板縁を突き戻すことが可能で、突き出し板７２の第二端７２２を偏動させ、突き出し棒７３の前端７３１の近くに移動させ置く。使用者が電子カード７０を後に向けて退出させる時は、前に向かって突き出し棒７３を推し移動させ、これによって連動で突き出し板７２の第二端７２２を推し移動させ、突き出し板７２の第一端７２１を平衡板（Seesaw）のように電子カード７０の前縁を突き推して、電子カード７０を後に向けて突き出し、図１７の点線で示すように、カード戻しの操作を完了させる。
【考案の開示】
【考案が解決しようとする課題】
【０００４】
しかし上述周知の電子カードコネクターは、カード戻し操作の過程中では、突き出し板７２は電子カード７０の一側に対して、片辺に推力を行っているので、往々にカード戻しの過程中に、電子カード７０を一側に向けて偏斜させ、電子カードが電子カードコネクターの中に引っかかる状態となり、カード戻しが極めて順調にいけない状況になるのが欠点である。
【０００５】
すなわちカード戻しの操作の過程中に常時電子カードが電子カードコネクターの中に引っかかる現象を生じる欠点がある。
【０００６】
したがって本考案の目的は、電子カードにあたえる力を平均的にし、コネクターの中から外に向かって引っかからず退出させることが可能な両側連動カード戻しの電子カードコネクターを提供することにある。
【課題を解決するための手段】
【０００７】
上述の目的を達成するために本考案の請求項に記載の両側連動カード戻しの電子カードコネクターは、下記の構造を含む。一つの本体には一つの差し穴が設けられて、並びに差し穴の前端に一つの端子台を設置している。第一スライド部品、第一スライド部品は差し穴の第一側に滑り置かれていて一つの差し穴の中に差し込んだ電子カードの第一側に突き寄っていて、並びに第一スライド部品と本体の間に一つのバネを鉤扣して、常時第一スライド部品と連動して端子台を遠離する。第二スライド部品、第二スライド部品は差し穴の第二側に滑り置かれ、即ち第一スライド部品の相対側にあって一つの差し穴に差し込んだ電子カードの第二側に突き寄って並びに第二スライド部品と本体間に一つの一つのバネを鉤扣して、常時第二スライド部品を連動して端子台を遠離する。これでこの二つのバネによって同時に連動して第一スライド部品、第二スライド部品を戻し移動して、電子カードコネクターの中に差し込んだ電子カードを突き出す。
【考案を実施するための最良の形態】
【０００８】
以下、本考案の実施例を図面に基づいて説明する。
図１から図１６に示すように、本考案の実施例による両側連動カード戻しの電子カードコネクターは下記のものを含む。一つの本体１０は一つの差し穴１１が設けられ、差し穴１１の前端には一つの端子台１２が設置されている。第一スライド部品２０、第一スライド部品２０は差し穴１１の第一側１１ａに滑り置かれ、差し穴の中に差し込んだ電子カード５０の第一側に突き寄って、並びに第一スライド部品２０と本体の間に、一つのバネ２０ａを鉤扣して、常時第一スライド部品２０を連動して端子台１２を遠離する。第二スライド部品３０は、差し穴１１の第二側１１ｂに滑り置かれ、即ち第一スライド部品２０の相対側にあって、差し穴の中に差し込んだ電子カード５０の第二側に突き寄せて、並びに第二スライド部品３０と本体１０との間に一つのバネ３０ａを鉤扣して、常時第二スライド部品３０を連動して端子台１２を遠離する。これで二つのバネ２０ａ、バネ３０ａによって同時に連動して第一スライド部品２０、第二スライド部品３０を戻し移動して電子カードコネクターの中に差し込んだ電子カード５０を突き出す。
【０００９】
図１、図２、図９、図１０に示すように、本実施例による両側連動カード戻しの電子カードコネクターの主なる構造の特徴は、電子カードコネクターの本体１０の差し穴１１の両側に、第一スライド部品２０、第二スライド部品３０が滑り設けられ、カード戻しを操作する時は、第一スライド部品２０、第二スライド部品３０によって、同時に電子カードコネクターの中に差し込んだ電子カード５０の両側を突き推して、電子カード５０の受ける力を平均にして電子カードコネクターの中から外に向けて退出させることが可能である。これでカード戻しの操作を更に順調にする。
【００１０】
図１、図２に示すように、本実施例の電子カードコネクターの本体１０は、多数個の殻体１０ａ、殻体１０ｂを含んで対合して組合したもので、各殻体１０ａ、殻体１０ｂの間に一つの差し穴１１を構成して、最小一種の型式の電子カード５０をその中に差し込むことが可能である。差し穴１１の相対の両側に、個別に一つのガイドレール部１１１、ガイドレール部１１２を形成して、個別に対応的に第一スライド部品２０、第二スライド部品３０をその中に置く。第一スライド部品２０、第二スライド部品３０を差し穴１１の相対の両側にガイドして、安定的に滑り移動させる。本体１０の両側に個別に一つの突鉤１３ａ、突鉤１３ｂを突設して、第一スライド部品２０、第二スライド部品３０を連動するバネ２０ａ、バネ３０ａのバネ端２０１、バネ端３０１の鉤扣を提供する。
【００１１】
上記の組合せ本体１０の殻体１０ａ、殻体１０ｂは、金属或いはその他の導電材料を使用して作ったものであり、外部の電磁ウェブが差し穴１１の中に差し込んだ電子カードに対する干擾を妨げて信号伝送品質を維持することが可能である。
【００１２】
図１に示すように本体１０の差し穴１１の前端の端子台１２は、一つの絶縁台体１２１を含んでいる。並列に多数個の端子穴１２２が設けられ、個別に一つの端子１２３を中に嵌接している。絶縁台体１２１の両側に、個別に定位突き部１２４が突設され、対応的に差し穴１１側壁の扣孔１１４の中に鉤扣して、端子台１２を固く安全に差し穴１１の前端に鉤接する。別に絶縁台体１２１の中は、連接部品１２５が嵌接されていて、端子台１２を差し穴１１の中に鉤接した時に、連接部品１２５は固く本体の一つの突き縁１４に鉤接して、電子カードコネクターの全体の構造を安定に固定する。或いは、連接部品１２５の一端を回路板（図面には表示していない）のアース回路と連接させることが可能である。これで本考案の実施例が表示した電子カードコネクターのアースを完了させる。
【００１３】
図１、図５、図６に示すように、本実施例の第一スライド部品２０は、一体の成形で、一つの縦が長い棒体状で、本体１０の差し穴１１の第一側１１ａのガイドレール部１１１中に差し置かれている。第一スライド部品２０の前端に、横向きに一つの載台部２１が設けられ、載台部２１の前縁に一つの突き壁２１１が突起して、差し穴１１に差し込んだ電子カード５０の第一側前端の端縁に突き寄せる。第一スライド部品２０の底端には、定位凹穴２２が凹設され、第一スライド部品２０を対応のガイドレール部１１の中に、後に向けて一つの定位位置に退位した時に、定位凹穴２２の穴壁は、ガイドレール部１１の中に突設した一つの定位突き部１１１ａに突き寄せて、第一スライド部品２０が継続してバネ２０ａを後に向けて引き戻すのを妨げる。
【００１４】
第一スライド部品２０は、側壁上に鉤棒２３を突設して、ガイドレール部１１１の外側に差し出してバネ２０ａの第二バネ端２０２を鉤扣する。
【００１５】
図１、図２、図７、図８に示すように、本実施例による第二スライド部品３０は、一体成形で、一つの縦が長い棒体状で本体１０の差し穴１１の第二側１１ｂのガイドレール部１１２中に差し置かれている。第二スライド部品３０の前端に横向きに一つの載台部３１が設けられ、載台部３１の前縁に一つの突き壁３１１が突起している。これによって差し穴１１に差し込んだ電子カード５０の第二側の前端の端縁５２に突き寄せる。第二スライド部品３０の底端は、更に定位凹穴３２が凹設されていて、第二スライド部品３０を対応したガイドレール部１１２の中に後に向けて一つの定位位置に退移した時に、定位凹穴３２の穴壁は、ガイドレール部１１２の中に突設した一つの定位突き部１１２ａに突き寄せて、第二スライド部品３０が継続してバネ３０ａを後に向けて引き戻すのを妨げる。
【００１６】
上記の第二スライド部品３０は、尚側壁上に鉤棒３３が突設され、並びにガイドレール部１１２の外側に差し出している、これでバネ３０ａの第二バネ端３０２を鉤扣する。
【００１７】
図１、図３、図４及び、図１２から図１６に示すように、本実施例の電子カードコネクターは、一歩進んで定位装置４０を含む。定位装置４０は、第一スライド部品２０と本体１０との間に設置している。或いは、第二スライド部品３０と本体１０との間に設置している。或いは、第一スライド部品２０、第二スライド部品３０と本体１０との間に設置していて、第一スライド部品２０、第二スライド部品３０の停止位置を制動する。
【００１８】
定位装置４０は、図１、図３、図４、図１２に示すように下記のものを含む。一つのガイド槽部４１は、第一スライド部品２０或いは第二スライド部品３０に凹設し、ガイド槽部４１は一つの第一ガイド槽４１１及び一つの第二ガイド槽４１２を含む。第一ガイド槽４１１、第二ガイド槽４１２の後端は、一つのＶ字型ガイド槽４１３で互いに連通する。第二ガイド槽４１２の前端を傾斜向きに第一ガイド槽４１１を連接する。一つの定位塊４２は、第一端は一つの軸部４２１を含み、ガイドレール部１１１或いは、ガイドレール部１１２の中に枢装する。そして、第二端は、一本のガイドピン４２２を突設し、常時ガイド槽部４１の中に滑り置かれている。一本のバネアーム４３は、ガイドレール部１１１或いは１１２に形成し、バネアーム４３は常時ガイド槽部４１の方向に向けて、定位塊４２の第二端を突き推して定位塊４２の第二端にあるガイドピン４２２を安定にガイド槽部４１の中に伸び置かれ、相対に滑り移動する。
【００１９】
定位装置４０の中のガイド槽部４１では、第一ガイド槽４１１の後端とＶ字型ガイド槽４１３の間は、一つの第一突き肩４１１ａを形成している。定位塊４２のガイドピン４２２がＶ字型ガイド槽４１３を通った後、又は、第一ガイド槽４１１の前端の出口から後に向かって戻るのを妨げる。そして、Ｖ字型ガイド槽４１３の中段の所で、一つの第二突き肩４１３ａを形成し、且つＶ字型ガイド槽４１３と第二ガイド槽４１２前端の入口の間に一つの第三突き肩４１２ａを形成して、定位塊４２のガイドピン４２２が循環して滑り動く時に生じた逆向きの戻し（即ち、第二ガイド槽からＶ字型ガイド槽に沿って、第一ガイド槽に戻る）を妨げる。
【００２０】
図９、図１２に示すように、電子カードコネクターに電子カード５０を差し込んでいない時、或いは、電子カードを差し込んだ後で、まだ第一二スライド部品２０、第二スライド部品３０を推し移動していない時では、第一二スライド部品２０、第二スライド部品３０は、バネ２０ａ、３０ａを自動的に第一位置に戻す。即ち、スタート位置である、この時では、定位装置４０の定位塊４２のガイドピン４２２は、第一ガイド槽４１１の前端に伸び置かれる。
【００２１】
図１０、図１３に示すように、使用者が一枚の電子カード５０を差し込んで、前に向かって電子カード５０を推し移動した時では、電子カード５０の第一側、第二側前端の端縁５１、端縁５２は、第一二スライド部品２０、第二スライド部品３０の載台部２１、載台部３１の上に跨って置かれる。突き壁２１１、突き壁３１１に突き寄せられるので、連動して前に向かって第一二スライド部品２０、第二スライド部品３０を推し移動し、同時に定位塊４２のガイドピン４２２を相対的に第一ガイド槽４１１を沿って、後に向かって滑り移動し、Ｖ字型ガイド槽４１３の中に滑り落ちる迄滑り動く。
【００２２】
その後、図１０、図１４に示すように、使用者は電子カード５０の推し移動を止めて、第一回の電子カード５０を釈放する。この時、第一二スライド部品２０、第二スライド部品３０は、個別にバネ２０ａ、バネ３０ａの連動を受けて、微量に戻る。ガイドピン４２２は第一突き肩４１１ａの阻碍を受けて、第一ガイド槽４１１の中に戻ることができないので、相対的にＶ字型ガイド槽４１３の中に滑り移動して、第一二スライド部品２０、第二スライド部品３０を一つの安定した停止状態にする。この時、差し込んだ電子カード５０は、端子台１２の端子と連接して、資料の読み取り或いは、載入或いは資料の伝送を進行する。
【００２３】
使用者が電子カード５０を取り出す時は、図１０、図１４に示した状態から、又前に向かって電子カード５０を突き推し、図１５に示した状態になる。この時、電子カード５０は、前に向かって連動して第一二スライド部品２０、第二スライド部品３０を推し動かす。そして、ガイドピン４２２はＶ字型ガイド槽４１３の中に第二突き肩４１３ａの阻碍によって、第一ガイド槽４１１の方向に向かって相対の退移を戻すことができず、相対的に第二ガイド槽４１２の中に滑り向く。この時、使用者は電子カード５０を釈放することが可能で、二つのバネ２０ａ、バネ３０ａの弾性を復帰さして同時に後に向かって第一二スライド部品２０、第二スライド部品３０を引き戻す。第一二スライド部品２０、第二スライド部品３０の突き壁２１１、突き壁３１１によって、電子カード５０の前端の両側を突き推して、電子カード５０を電子カードコネクターの差し穴１１から退出して、カード戻しの操作を完了させ、図９、図１６に示すようになる。このカード戻し操作過程中では、定位塊４２のガイドピン４２２は、第三突き肩４１２ａの阻碍を受けて、Ｖ字型ガイド槽４１３の中に戻ることができない。これは図１５の矢印の方向に示した状態で、相対的に第二ガイド槽４１２によって前に向かって滑り動き、あらたに第一ガイド槽４１１の中に滑り込んで、一つのカード差し込み及びカード戻しの循環操作を完了する。
【００２４】
本実施例により示した定位装置４０は、第一スライド部品２０と対応したガイドレール部１１１の間、或いは、第二スライド部品３０と対応したガイドレール部１１２の間、或いは本実施例の図１に示すように両セットの定位装置４０を含んだ個別に第一スライド部品２０、第二スライド部品３０と対応したガイドレール部１１１、ガイドレール部１１２の間に設置することが可能である。
【００２５】
本実施例の主なる構造の特徴は、弾性によって電子カードコネクターの相対する両側の第一スライド部品２０及び第二スライド部品３０に滑り置かれ、カード戻し操作の時に、同時に電子カード５０の両側を突き推して、電子カード５０に受ける力を平均的に電子カードコネクターの差し穴１１の中に安定して滑り動かすことが可能で、カード戻しの操作を更に順調さす点で、本考案の新穎性及び実用性を表している。
【００２６】
本考案の実施例に示した構造、部品の形状は特定の形式を制限するものではない。特に強調する点は、若しも本考案の構想、形状を一部変更した後に生じた効果、作用が本明細書と図面を含む範囲である場合は、すべて本考案の範囲に属することは当然である。
【図面の簡単な説明】
【００２７】
【図１】本考案の実施例による両側連動カード戻しの電子カードコネクターを示す立体分解図である。
【図２】本考案の実施例による両側連動カード戻しの電子カードコネクターを示す立体図である。
【図３】図２の３−３方向の局部断面図である。
【図４】図３のマークした区域４の拡大図である。
【図５】本考案の実施例による第１スライド部品を示す平面立体図である。
【図６】本考案の実施例による第１スライド部品の頂面から見た立体図である。
【図７】本考案の実施例による第２スライド部品を示す平面立体図である。
【図８】本考案の実施例による第２スライド部品の頂面から見た立体図である。
【図９】本考案の実施例により電子カードがまだ電子カードコネクターに差し込まれていない或いは、電子カードコネクターから外に向けて退出した状態を示す図である。
【図１０】本考案の実施例により電子カードを電子カードコネクターの中に差し込んだ状態を示す図である。
【図１１】本考案の実施例による定位装置のガイド槽部の平面構造を示す図である。
【図１２】本考案の実施例によりまだ電子カードを差し込んでいない定位装置の各エレメントの相対関係を示す図である。
【図１３】図１２から前に向かって電子カードを推し動かした後の定位装置の各エレメントの相対関係を示す図である。
【図１４】図１３から第一回の電子カードを釈放した後の定位装置の各エレメントの相対関係を示す図である。
【図１５】図１４から前に向かって電子カードを推し動かした後の定位装置の各エレメントの相対関係を示す図である。
【図１６】図１５から電子カードを釈放して、カードの戻しを完了した後の定位装置の各エレメントの相対関係を示す図である。
【図１７】従来の電子カードコネクターの構造を示す意図である。
【符号の説明】
【００２８】
１０  本体、１０ａ  殻体、１０ｂ  殻体、１１  差し穴、１１ａ  第一側、１１ｂ  第二側、１２  端子台、１３ａ  突き鉤、１３ｂ  突き鉤、１４  突き縁、２０  第一スライド部品、２０ａ  バネ、２１  載台部、２２  定位凹穴、２３  鉤棒、３０  第二スライド部品、３０ａ  バネ、３１  載台部、３２  定位凹穴、３３  鉤棒、４０  定位装置、４１  ガイド槽部、４２  定位塊、４３  バネアーム、５０  電子カード、５１  第一側の前端端縁、５２  第二側の前端端縁、１１１  ガイドレール部、１１１ａ  定位突き部、１１２  ガイドレール部、１１２ａ  定位突き部、１１４  扣孔、１２１  絶縁台体、１２２  端子穴、１２３  端子、１２４  定位突き部、１２５  連接部品、２０１  第一バネ端、２０２  第二バネ端、２１１  突き壁、３０１  第一バネ端、３０２  第二バネ端、３１１  突き壁、４１１  第一ガイド槽、４１１ａ  第一突き肩、４１２  第二ガイド槽、４１２ａ  第三突き肩、４１３  Ｖ字型ガイド槽、４１３ａ  第二突き肩、４２１  軸部、４２２  ガイドピン
【図１】
0003110999.tif 000003
【図２】
0003110999.tif 000004
【図３】
0003110999.tif 000005
【図４】
0003110999.tif 000006
【図５】
0003110999.tif 000007
【図６】
0003110999.tif 000008
【図７】
0003110999.tif 000009
【図８】
0003110999.tif 000010
【図９】
0003110999.tif 000011
【図１０】
0003110999.tif 000012
【図１１】
0003110999.tif 000013
【図１２】
0003110999.tif 000014
【図１３】
0003110999.tif 000015
【図１４】
0003110999.tif 000016
【図１５】
0003110999.tif 000017
【図１６】
0003110999.tif 000018
【図１７】
0003110999.tif 000019